(57)【特許請求の範囲】
【請求項１】
カラオケシステムとネットワークを介して接続されるサーバシステムにおいて、
前記カラオケシステムによってカラオケする際に再生される楽曲の選曲を受け付ける選曲受付手段と、
前記受け付けられた選曲に基づいて当該選曲によって歌唱する歌唱者の評価を希望する複数のユーザを応募者として受け付ける応募者受付手段と、
複数の前記応募者の中から所定の選定条件を具備する応募者を評価者として選定する選定手段と、
前記評価者が選定された場合に、前記カラオケシステムの再生を制御する再生制御手段と、
前記カラオケシステムによって前記選曲された楽曲が再生された際に、当該再生された楽曲の楽音とともに歌唱する歌唱者を撮像する撮像装置から出力された撮像画像と、前記楽音を含む歌唱音と、を取得する取得手段と、
前記取得された撮像画像及び歌唱音を前記選定された評価者の通信端末装置に配信データとして配信する配信手段と、
前記評価者の通信端末装置と連動して歌唱中の歌唱者の評価を受け付ける評価受付手段と、
前記受け付けられた各評価者の評価を評価データとして第１のデータベースに登録する登録手段と、
を備え、
前記選定手段が、既に前記第１のデータベースに登録された応募者の評価データの履歴に基づいて、前記所定の選定条件を具備する応募者を評価者として選定し、
前記再生制御手段が、前記受け付けた評価が所定の評価条件を具備した場合に、前記カラオケシステムにおけるカラオケの再生を中断させることを特徴とするサーバシステム。
【請求項２】
請求項１に記載のサーバシステムにおいて、
前記評価受付手段が、前記歌唱中の歌唱者の不評を受け付けるとともに、
前記選定手段が、前記評価者における過去の評価データにおける不評の評価について特定の条件を具備する応募者を、前記所定の選定条件を具備している応募者として選定する、サーバシステム。
【請求項３】
請求項１又は２に記載のサーバシステムにおいて、
前記応募者の属性が第１属性情報として記録された第２のデータベースを管理する管理手段を更に備え、
前記選定手段が、
前記記録された各応募者の第１属性情報に基づいて、複数の前記応募者の中から前記応募者を選定者として選定する第１選定処理と、
前記選定した選定者の中から、既に前記データベースに登録された応募者の評価データの履歴に基づいて、前記所定の選定条件を具備する応募者を評価者として選定する第２選定処理と、
を実行する、サーバシステム。
【請求項４】
請求項３に記載のサーバシステムにおいて、
前記管理手段が、前記選曲される楽曲の属性を第２属性情報として記録する第３のデータベースを管理し、
前記選定手段が、前記選曲された楽曲の第２属性情報と前記応募者のそれぞれの第１属性情報の関連性に基づいて、前記第１選定処理を実行する、サーバシステム。
【請求項５】
請求項４に記載のサーバシステムにおいて、
前記第２属性情報には、前記選曲される属性に基づく所定のカテゴリのランキングの順位が含まれる、サーバシステム。
【請求項６】
請求項４又は５に記載のサーバシステムにおいて、
前記第１属性情報には、前記応募者の年齢及び前記カラオケにおける歌唱履歴の少なくともいずれか一方が含まれる、サーバシステム。
【請求項７】
請求項１〜６のいずれか１項に記載のサーバシステムにおいて、
前記カラオケの再生が中断された際に、当該中断されたまでの楽曲の演奏時間を算出する算出手段と、
前記算出された演奏時間に基づいて他の歌唱者との順位を決定する決定手段と、
を更に備える、サーバシステム。
【請求項８】
カラオケシステムとネットワークを介して接続されるサーバシステムを制御するプログラムにおいて、
前記サーバシステムを、
前記カラオケシステムによってカラオケする際に再生される楽曲の選曲を受け付ける選曲受付手段、
前記受け付けられた選曲に基づいて当該選曲によって歌唱する歌唱者の評価を希望する複数のユーザを応募者として受け付ける応募者受付手段、
複数の前記応募者の中から所定の選定条件を具備する応募者を評価者として選定する選定手段、
前記評価者が選定された場合に、前記カラオケシステムの再生を制御する再生制御手段、
前記カラオケシステムによって前記選曲された楽曲が再生された際に、当該再生された楽曲の楽音とともに歌唱する歌唱者を撮像する撮像装置から出力された撮像画像と、前記楽音を含む歌唱音と、を取得する取得手段、
前記取得された撮像画像及び歌唱音を前記選定された評価者の通信端末装置に配信データとして配信する配信手段、
前記評価者の通信端末装置と連動して歌唱中の歌唱者の評価を受け付ける評価受付手段、及び、
前記受け付けられた各評価者の評価を評価データとして第１のデータベースに登録する登録手段、
として機能させるとともに、
前記評価者の選定を行う際に、既に前記第１のデータベースに登録された応募者の評価データの履歴に基づいて、前記所定の選定条件を具備する応募者を評価者として選定し、
前記受け付けた評価が所定の評価条件を具備した場合に、前記カラオケシステムにおけるカラオケの再生を中断させることを特徴とするプログラム。
【請求項９】
カラオケシステムとネットワークを介して接続されるサーバシステムとデータの授受を行う通信端末装置において、
前記カラオケシステムによってカラオケする際に再生される楽曲の選曲が受け付けられて、当該選曲によって歌唱する歌唱者の評価を希望する際に、前記サーバシステムに応募者として登録する登録手段と、
複数の前記応募者の中から所定の選定条件を具備する評価者として選定された際に、前記サーバシステムから配信されたデータであって、前記カラオケシステムによって再生された楽曲の楽音とともに歌唱する歌唱者の画像と、当該楽音を含む歌唱音と、を含む配信データを取得する取得手段と、
歌唱中の歌唱者の評価を評価データとして前記サーバシステムに送信する送信手段と、
を備え、
前記配信データには、複数の評価者からの前記評価データの評価が所定の評価条件を具備して前記カラオケシステムにおけるカラオケの再生を中断させた場合の歌唱者の画像を含み、
前記送信された評価データが、第１のデータベースに登録されるとともに、既に登録された評価データが、前記評価者を選定する際に用いられる、ことを特徴とする通信端末装置。
【請求項１０】
コンピュータによって、カラオケシステムとネットワークを介して接続されるサーバシステムとデータの授受を行うプログラムにおいて、
前記コンピュータを、
前記カラオケシステムによってカラオケする際に再生される楽曲の選曲が受け付けられて、当該選曲によって歌唱する歌唱者の評価を希望する際に、前記サーバシステムに応募者として登録する登録手段、
複数の前記応募者の中から所定の選定条件を具備する評価者として選定された際に、前記サーバシステムから配信されたデータであって、前記カラオケシステムによって再生された楽曲の楽音とともに歌唱する歌唱者の画像と、当該楽音を含む歌唱音と、を含む配信データを取得する取得手段、及び、
歌唱中の歌唱者の評価を評価データとして前記サーバシステムに送信する送信手段、
として機能させ、
前記配信データには、複数の評価者からの前記評価データの評価が所定の評価条件を具備して前記カラオケシステムにおけるカラオケの再生を中断させた場合の歌唱者の画像を含み、
前記送信された評価データが、第１のデータベースに登録されるとともに、既に登録された評価データが、前記評価者を選定する際に用いられる、ことを特徴とするプログラム。
【請求項１１】
複数の楽曲データから選択された一の楽曲データを再生して楽音を出力させるとともに、当該楽音の出力に伴って前記選択された楽曲の歌詞を表示手段に表示するカラオケシステムと、
前記カラオケシステムとネットワークを介して接続されるサーバシステムと、
を備えるカラオケネットワークシステムにおいて、
前記サーバシステムが、
前記カラオケシステムによってカラオケする際に再生される楽曲の選曲を受け付ける選曲受付手段と、
前記受け付けられた選曲に基づいて当該選曲によって歌唱する歌唱者の評価を希望する複数のユーザを応募者として受け付ける応募者受付手段と、
複数の前記応募者の中から所定の選定条件を具備する応募者を評価者として選定する選定手段と、
前記評価者が選定された場合に、前記カラオケシステムの再生を制御する再生制御手段と、
前記カラオケシステムによって前記選曲された楽曲が再生された際に、当該再生された楽曲の楽音とともに歌唱する歌唱者を撮像する撮像装置から出力された撮像画像と、前記楽音を含む歌唱音と、を取得する取得手段と、
前記取得された撮像画像及び歌唱音を前記選定された評価者の通信端末装置に配信データとして配信する配信手段と、
前記評価者の通信端末装置と連動して歌唱中の歌唱者の評価を受け付ける評価受付手段と、
前記受け付けられた各評価者の評価を評価データとして第１のデータベースに登録する登録手段と、
を備え、
前記選定手段が、既に前記データベースに登録された応募者の評価データの履歴に基づいて、前記所定の選定条件を具備する応募者を評価者として選定し、
前記制御手段が、前記受け付けた評価が所定の評価条件を具備した場合に、前記カラオケシステムにおけるカラオケの再生を中断させることを特徴とするカラオケネットワークシステム。
【発明の詳細な説明】
【技術分野】
【０００１】
本発明は、カラオケの技術分野に属する。
【背景技術】
【０００２】
近年、伴奏のみからなるカラオケ用楽曲データ（以下、「楽曲データ」ともいう。）を再生し、当該再生された楽曲データに併せて歌唱者が歌うカラオケは、娯楽や趣味として認知されている。また、カラオケの楽曲データを再生する際に、背景画像として種々の画像を再生し、モニタその他表示装置に歌詞とともに表示させることが広く行われている。
【０００３】
また、最近のカラオケシステムにおいては、歌唱者の歌唱のメロディライン、抑揚、歌唱テクニックなどに基づいて、自動的に採点するもの（例えば、特許文献１）だけでなく、他の歌唱者によって採点を行うもの（例えば、特許文献２及び３）が知られている。
【先行技術文献】
【特許文献】
【０００４】
【特許文献１】特開２００４−２７９４６２号公報
【特許文献２】特開平０９−１９８０６１号公報
【特許文献３】特開２０１４−７１１６８号公報
【発明の概要】
【発明が解決しようとする課題】
【０００５】
しかしながら、特許文献２及び３のカラオケシステムにあっては、カラオケ中に第３者に評価され、それによってカラオケの演奏及び歌唱時間が制御されるゲーム性までは有しておらず、興趣性の観点からは工夫の余地がある。
【０００６】
本発明は、上記課題を解決するためになされたものであり、その目的は、カラオケにゲーム性を取り入れるとともに、歌唱者が評価されること及び当該歌唱者を評価することに対する興趣性を維持しつつ、評価者も歌唱者もゲーム的なカラオケについて参加する意欲を向上させることが可能なカラオケシステムを制御するサーバシステムなどを提供することにある。
【課題を解決するための手段】
【０００７】
（１）上記課題を解決するため、本発明のサーバシステム等は、カラオケシステムとネットワークを介して接続されるサーバシステムにおいて、前記カラオケシステムによってカラオケする際に再生される楽曲の選曲を受け付ける選曲受付手段と、前記受け付けられた選曲に基づいて当該選曲によって歌唱する歌唱者の評価を希望する複数のユーザを応募者として受け付ける応募者受付手段と、複数の前記応募者の中から所定の選定条件を具備する応募者を評価者として選定する選定手段と、前記評価者が選定された場合に、前記カラオケシステムの再生を制御する再生制御手段と、前記カラオケシステムによって前記選曲された楽曲が再生された際に、当該再生された楽曲の楽音とともに歌唱する歌唱者を撮像する撮像装置から出力された撮像画像と、前記楽音を含む歌唱音と、を取得する取得手段と、前記取得された撮像画像及び歌唱音を前記選定された評価者の通信端末装置に配信データとして配信する配信手段と、前記評価者の通信端末装置と連動して歌唱中の歌唱者の評価を受け付ける評価受付手段と、前記受け付けられた各評価者の評価を評価データとして第１のデータベースに登録する登録手段と、を備え、前記選定手段が、既に前記第１のデータベースに登録された応募者の評価データの履歴に基づいて、前記所定の選定条件を具備する応募者を評価者として選定し、前記再生制御手段が、前記受け付けた評価が所定の評価条件を具備した場合に、前記カラオケシステムにおけるカラオケの再生を中断させる構成を有している。
【０００８】
この構成により、本発明のサーバシステム等は、評価者を選定する際に応募者の過去の評価データの履歴を参照することができるので、不評の評価が一定の割合であるなど歌唱者の評価において正当に評価しているかどうか疑わしい応募者、すなわち、いたずら目的の応募者を評価者から排除することができる。
【０００９】
したがって、本発明のサーバシステム等は、カラオケ中に第３者に評価され、それによってカラオケの演奏及び歌唱時間が制御されるゲーム性を有するカラオケシステムにおいて、適切な評価者によって歌唱者の評価を行うことができるので、カラオケを歌唱すること及び他人の歌唱を聴取するだけでなく、歌唱者が評価されること及び当該歌唱者を評価することに対する興趣性を維持しつつ、評価者も歌唱者もゲーム的なカラオケについて参加する意欲を向上させることができる。
【００１０】
（２）また、本発明の通信端末装置等は、カラオケシステムとネットワークを介して接続されるサーバシステムとデータの授受を行う通信端末装置において、前記カラオケシステムによってカラオケする際に再生される楽曲の選曲が受け付けられて、当該選曲によって歌唱する歌唱者の評価を希望する際に、前記サーバシステムに応募者として登録する登録手段と、複数の前記応募者の中から所定の選定条件を具備する評価者として選定された際に、前記サーバシステムから配信されたデータであって、前記カラオケシステムによって再生された楽曲の楽音とともに歌唱する歌唱者の画像と、当該楽音を含む歌唱音と、を含む配信データを取得する取得手段と、歌唱中の歌唱者の評価を評価データとして前記サーバシステムに送信する送信手段と、を備え、前記配信データには、複数の評価者からの前記評価データの評価が所定の評価条件を具備して前記カラオケシステムにおけるカラオケの再生を中断させた場合の歌唱者の画像を含み、前記送信された評価データが、第１のデータベースに登録されるとともに、既に登録された評価データが、前記評価者を選定する際に用いられる、構成を有している。
【００１１】
この構成により、本発明の通信端末装置等は、カラオケ中に第３者に評価され、それによってカラオケの演奏及び歌唱時間が制御されるゲーム性を有するカラオケシステムにおいて、評価者に応募することができるとともに、評価者を選定する際の評価データをも提供することができる。
【００１２】
したがって、本発明の通信端末装置等は、不評の評価が一定の割合であるなど歌唱者の評価において正当に評価しているかどうか疑わしい応募者、すなわち、いたずら目的の応募者を評価者から排除することができるサーバシステムに用いることができるので、カラオケを歌唱すること及び他人の歌唱を聴取するだけでなく、歌唱者が評価されること及び当該歌唱者を評価することに対する興趣性を維持しつつ、評価者も歌唱者もゲーム的なカラオケについて参加する意欲を向上させる一部の装置として機能させることができる。
【００１３】
（３）また、本発明のカラオケネットワークシステムは、複数の楽曲データから選択された一の楽曲データを再生して楽音を出力させるとともに、当該楽音の出力に伴って前記選択された楽曲の歌詞を表示手段に表示するカラオケシステムと、前記カラオケシステムとネットワークを介して接続されるサーバシステムと、備えるカラオケネットワークにおいて、前記サーバシステムが、前記カラオケシステムによってカラオケする際に再生される楽曲の選曲を受け付ける選曲受付手段と、前記受け付けられた選曲に基づいて当該選曲によって歌唱する歌唱者の評価を希望する複数のユーザを応募者として受け付ける応募者受付手段と、複数の前記応募者の中から所定の選定条件を具備する応募者を評価者として選定する選定手段と、前記評価者が選定された場合に、前記カラオケシステムの再生を制御する再生制御手段と、前記カラオケシステムによって前記選曲された楽曲が再生された際に、当該再生された楽曲の楽音とともに歌唱する歌唱者を撮像する撮像装置から出力された撮像画像と、前記楽音を含む歌唱音と、を取得する取得手段と、前記取得された撮像画像及び歌唱音を前記選定された評価者の通信端末装置に配信データとして配信する配信手段と、前記評価者の通信端末装置と連動して歌唱中の歌唱者の評価を受け付ける評価受付手段と、前記受け付けられた各評価者の評価を評価データとして第１のデータベースに登録する登録手段と、を備え、前記選定手段が、既に前記データベースに登録された応募者の評価データの履歴に基づいて、前記所定の選定条件を具備する応募者を評価者として選定し、前記制御手段が、前記受け付けた評価が所定の評価条件を具備した場合に、前記カラオケシステムにおけるカラオケの再生を中断させる構成を有している。
【００１４】
この構成により、本発明のカラオケネットワークシステムは、評価者を選定する際に応募者の過去の評価データの履歴を参照することができるので、不評の評価が一定の割合であるなど歌唱者の評価において正当に評価しているかどうか疑わしい応募者、すなわち、いたずら目的の応募者を評価者から排除することができる。
【００１５】
したがって、本発明のカラオケネットワークシステムは、カラオケ中に第３者に評価され、それによってカラオケの演奏及び歌唱時間が制御されるゲーム性を有するカラオケシステムにおいて、適切な評価者によって歌唱者の評価を行うことができるので、カラオケを歌唱すること及び他人の歌唱を聴取するだけでなく、歌唱者が評価されること及び当該歌唱者を評価することに対する興趣性を維持しつつ、評価者も歌唱者もゲーム的なカラオケについて参加する意欲を向上させることができる。
【発明の効果】
【００１６】
本発明のカラオケシステム等は、カラオケ中に第３者に評価され、それによってカラオケの演奏及び歌唱時間が制御されるゲーム性を有するカラオケシステムにおいて、適切な評価者によって歌唱者の評価を行うことができるので、カラオケを歌唱すること及び他人の歌唱を聴取するだけでなく、歌唱者が評価されること及び当該歌唱者を評価することに対する興趣性を維持しつつ、評価者も歌唱者もゲーム的なカラオケについて参加する意欲を向上させることができる。
【図面の簡単な説明】
【００１７】
【図１】本発明に係るカラオケシステムにおける一実施形態の構成を示すシステム構成図である。
【図２】一実施形態のカラオケネットワークシステムにおいて提供されるのど自慢サービスを説明するための図ある。
【図３】一実施形態の通信端末装置の構成を示すブロック図である。
【図４】一実施形態のカラオケ装置の構成を示すブロック図である。
【図５】一実施形態の管理サーバ装置の構成を示すブロック図である。
【図６】一実施形態の管理サーバ装置において実行されるのど自慢ゲームの各処理の動作を示すフローチャート（その１）である。
【図７】一実施形態の管理サーバ装置において実行されるのど自慢ゲームの各処理の動作を示すフローチャート（その２）である。
【図８】一実施形態の通信端末装置において実行されるのど自慢ゲームの各処理の動作を示すフローチャート（その１）である。
【図９】一実施形態の通信端末装置において実行されるのど自慢ゲームの各処理の動作を示すフローチャート（その２）である。
【発明を実施するための形態】
【００１８】
以下、本発明の実施形態について、図面を参照しながら説明する。以下に説明する実施形態は、店舗に設置されたカラオケ装置に対してネットワークを介して通信端末装置と連動してカラオケサービスを提供するカラオケネットワークシステムに対して、本発明のカラオケネットワークシステム、サーバシステム、通信端末装置及びプログラムを適用した場合の実施形態である。
【００１９】
［１］カラオケネットワークシステム
まず、図１及び図２を用いて本実施形態のカラオケネットワークシステム１の概要構成について説明する。
【００２０】
なお、図１は、本実施形態におけるカラオケネットワークシステム１の構成を示すシステム構成図であり、図２は、本実施形態のカラオケネットワークシステム１において提供されるのど自慢サービスを説明するための図である。また、図が煩雑になることを防止するために、図１においては、一部の通信端末装置１０及びカラオケ装置３０のみを示している。すなわち、実際のカラオケネットワークシステム１においては、図１に表示するよりも多数のカラオケ装置３０が存在している。
【００２１】
本実施形態のカラオケネットワークシステム１は、図１に示すように、ユーザによって保持され、かつ、各種のカラオケサービスを享受するために用いる通信端末装置１０と、ネットワーク２０と、家庭や店舗に設置され、カラオケを提供するためのカラオケ装置３０と、ネットワーク２０を介してユーザの選曲に応じて、該当する楽曲データ及び当該楽曲の歌詞を示すテロップデータを含むカラオケデータをカラオケ装置３０に提供するとともに、各種のカラオケサービスを通信端末装置１０に提供する管理サーバ装置４０と、を有している。
【００２２】
また、本実施形態のカラオケネットワークシステム１は、
（１）歌唱中の歌唱者（以下、「歌唱ユーザ」ともいう。）を撮像し、当該撮像した画像（以下、「撮像画像」という。）を歌唱音とともに配信データとして配信し、
（２）撮像画像のネットワーク配信を用いて歌唱ユーザの歌唱を第３者によって評価させ、
（３）第３者（以下、「評価者」又は「評価ユーザ」ともいう。）の評価によってカラオケの再生やランキングなどサービス（以下、「のど自慢サービス」という。）を実行する、
システムである。
【００２３】
特に、本実施形態のカラオケネットワークシステム１は、のど自慢サービスを提供することによって、カラオケ中に、不評の評価が所定の条件を具備した場合に再生されたカラオケが中断するなど、評価ユーザの評価によってカラオケの再生が制御され、又は、順位付けされるようになっており、ゲーム性をカラオケに導入したシステムとなっている。
【００２４】
通信端末装置１０は、ユーザによって使用される携帯型電話機、タブレット型情報通信端末装置、スマートフォン、ゲーム装置又はパーソナルコンピュータなどの通信端末装置であり、基地局６０を介して、ネットワーク２０と通信接続される。
【００２５】
また、通信端末装置１０は、ＸＭＬ（ｅＸｔｅｎｓｉｂｌｅ  Ｍａｒｋｕｐ  Ｌａｎｇｕａｇｅ）等のマークアップ言語によって記述されているリソースデータをＵＲＬに基づいて取得し、当該リソースデータに基づき、配信された撮像画像を含む各種の画像の表示、音出力及び管理サーバ装置４０などとデータ通信を行うブラウジング機能を有している。
【００２６】
特に、通信端末装置１０は、評価者として応募する際に、又は、評価者（すなわち、評価ユーザ）となって歌唱ユーザのカラオケを評価する際に用いられ、これらに関するデータを管理サーバ装置４０との間で授受することが可能な構成を有している。
【００２７】
ネットワーク２０は、例えば、携帯電話網を含む公衆電話網と、ＩＰ（Ｉｎｔｅｒｎｅｔ  Ｐｒｏｔｏｃｏｌ）ネットワークが相互接続されて構成される。ただし、当該ネットワーク２０の構成は、これに限られない。
【００２８】
カラオケ装置３０は、カラオケ店舗にある装置の他に、家庭用ゲーム機、パーソナルコンピュータ、携帯型電話機、スマートフォン、タブレット型情報端末装置などの装置である。
【００２９】
具体的には、カラオケ装置３０は、
（１）歌唱ユーザＡの選曲に基づいて、カラオケ装置３０に保存された特定の楽曲データを取得する機能、
（２）取得した楽曲データを再生して楽音を出力させるとともに、楽音の出力に伴って当該楽曲の歌詞を表示する楽曲データ（カラオケデータ）再生機能、及び
（３）歌唱中に楽音とともに歌唱ユーザの歌唱音を集音し、当該歌唱ユーザを撮像する撮像機能
（４）集音したデータ（以下、「集音データ」という。）とともに撮像した歌唱ユーザの画像（撮像画像）のデータ（以下、「撮像画像」という。）を出力する機能
（５）管理サーバ装置４０の制御の下、楽曲データの再生が制御される制御機能
（６）歌唱終了後その他のタイミングにおいて歌唱ユーザの所定の条件におけるランキングを提供する採点及びランキング機能、
を有している。
【００３０】
また、カラオケ装置３０は、管理サーバ装置４０と連動し、上記の各機能を用いてのど自慢サービスによって提供されるゲーム（以下、「のど自慢ゲーム」という。）の開始要求、及び、当該のど自慢ゲームに用いる楽曲その他の関連する情報の提供その他ののど自慢ゲームを実行するための構成を有している。
【００３１】
管理サーバ装置４０は、所定のデータを記録するデータベース（以下、「ＤＢ」ともいう。）４００を有し、通信端末装置１０及びカラオケ装置３０と連動するとともに、カラオケサービス及びのど自慢サービスを提供するために用いられるサーバ装置である。
【００３２】
具体的には、管理サーバ装置４０は、
（Ａ）カラオケ装置３０からの要求に基づく楽曲データ及びテロップデータを含むカラオケデータの提供、
（Ｂ）通信端末装置１０からの要求に基づく各種のカラオケサービスの提供
（Ｃ）通信端末装置１０及びカラオケ装置３０と連動して実行されるのど自慢サービスの提供
が可能な構成を有している。
【００３３】
特に、管理サーバ装置４０は、各通信端末装置１０及びカラオケ装置３０と連動し、のど自慢サービスに基づくのど自慢ゲームを実行する際に、例えば、図２に示すように、
（１）のど自慢ゲームへの参加要求とともに、カラオケ装置３０によってカラオケする際に再生される楽曲の選曲を受け付け（図２の［１］）、
（２）受け付けた選曲に基づいて、歌唱ユーザに対する評価を募集するため複数のユーザに告知し（図２の［２］）、当該告知に基づいて評価者に応募したユーザ（以下、「応募者」又は「応募ユーザ」という。）を受け付け（図２の［３］）、
（３）複数の応募ユーザの中から所定の選定条件を具備する応募ユーザを評価者として選定し（図２の［４］）、その結果を各応募ユーザへ通知し（図２の［５］）、
（４）一定数の評価ユーザが選定されることをのど自慢ゲームの開始条件を具備すると（図２の［６］）、カラオケ装置３０へ選曲された楽曲の再生開始を指示することによって再生を制御し（図２の［７］）、
（５）カラオケ装置３０によって選曲された楽曲が再生されてカラオケが開始されると、当該再生された楽曲の楽音とともに歌唱する歌唱ユーザが撮像された撮像画像と、当該楽音を含む歌唱音と、を配信データとして取得し（図２の［８］）、取得した配信データをブラウザ用のデータ（以下、「ブラウザ用データ」という。）に変換しつつ評価ユーザの通信端末装置１０に配信し（図２の［９］）、
（６）評価ユーザの通信端末装置１０と連動して歌唱中の歌唱ユーザの評価を受け付け（図２の［１０］）、
（７）受け付けた評価が所定の評価条件を具備すると（図２の［１１］）、カラオケ装置３０におけるカラオケの再生を中断させる（図２の［１２］）、
各種の処理を実行するための構成を有している。
【００３４】
また、管理サーバ装置４０は、のど自慢ゲームにおいて歌唱されたカラオケに対する採点を実行し、かつ、所定の属性におけるランキングの算出及びその提供をし（図２の［１３］）、受け付けられた各評価ユーザの評価を評価データとしてデータベース４００に登録する（図２の［１４］）構成を有している。
【００３５】
なお、管理サーバ装置４０は、既にデータベース４００に登録された各ユーザ（具体的には、応募ユーザ）の評価データの履歴に基づいて、所定の選定条件を具備する応募ユーザを評価ユーザとして選定するようになっている。
【００３６】
このような構成を有することによって、カラオケネットワークシステム１は、カラオケ中に第３者に評価され、それによってカラオケの演奏及び歌唱時間が制御されるゲーム性を有するカラオケシステム（すなわち、のど自慢ゲーム）を実現することができるとともに、適切な評価ユーザによって歌唱ユーザの評価を行うことができるので、カラオケを歌唱すること及び他人の歌唱を聴取するだけでなく、歌唱ユーザが評価されること及び当該歌唱ユーザを評価することに対する興趣性を維持しつつ、評価ユーザも歌唱ユーザもゲーム的なカラオケについて参加する意欲を向上させることができるようになっている。
【００３７】
［２］通信端末装置
次に、図３を用いて本実施形態の通信端末装置１０について説明する。なお、図３は、本実施形態の通信端末装置１０の構成を示すブロック図である。
【００３８】
本実施形態の通信端末装置１０は、図３に示すように、各種の情報に対応するデータが記録される記録部１００と、ネットワーク２０に通信接続されるネットワーク通信部１１０と、楽曲データに基づいて楽曲を再生する再生部１２０と、再生された音信号の信号レベルを増幅し、スピーカ１１に出力する電力増幅器１３０と、を備えている。
【００３９】
また、通信端末装置１０は、表示部１４０と、表示部１４０に対する画像の表示を制御する表示制御部１５０と、タッチパネルにより構成される操作部１７０と、端末管理制御部１８０と、のど自慢サービスを享受する際に所定のアプリケーションを実行するアプリケーション実行部１９０と、を有している。
【００４０】
なお、通信端末装置１０の各部は、バス１２によって相互に接続されており、データの授受を実行している。
【００４１】
記録部１００は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）やフラッシュメモリなどにより構成される。
【００４２】
そして、記録部１００は、各種のアプリケーションが記録されるアプリケーション記録部１０１と、のど自慢サービスその他のカラオケサービスなどを享受するための各処理の実行中に用いられるワークエリアとして機能するＲＡＭ１０２と、を有している。
【００４３】
特に、アプリケーション記録部１０１には、のど自慢サービスにおける評価者を募集する旨の告知、評価者への応募、及び、歌唱ユーザの歌唱中の撮像画像を歌唱音とともに閲覧している際に、評価者としてその評価を行う処理を実行するためのアプリケーション（以下、「のど自慢ゲームアプリ」という。）が記録されている。
【００４４】
ネットワーク通信部１１０は、所定のネットワークインターフェースであり、端末管理制御部１８０及びアプリケーション実行部１９０の制御の下、基地局ＢＳを介してネットワーク２０に接続される管理サーバ装置４０又は図示しない他の通信端末装置と通信回線を構築し、管理サーバ装置４０又は図示しない他の通信端末装置と種々のデータの授受を行う。
【００４５】
再生部１２０は、端末管理制御部１８０又はアプリケーション実行部１９０の制御の下、所定の音源及び動画像を含む各種の画像を再生し、電力増幅器１３０に音信号を出力し、表示制御部１５０に画像信号を出力する。
【００４６】
また、再生部１２０は、ネットワーク通信部１１０を介して予め取得した又はストリーミングによって音源データ及び画像データをリアルタイムで取得して再生し、電力増幅器１３０に音信号を出力し、表示制御部１５０に画像信号を出力する。
【００４７】
特に、再生部１２０は、表示制御部１５０と連動し、管理サーバ装置４０から配信された配信データ、すなわち、のど自慢ゲームにおいて実施されているカラオケ中の楽曲の楽音を含む歌唱中の歌唱ユーザの歌唱音のデータと撮像画像のデータとを有する配信データをストリーミングによって取得する。そして、再生部１２０は、当該配信データに含まれた音データ及び画像データ（撮像画像データ）を再生し、音信号及び画像信号を出力する。
【００４８】
電力増幅器１３０は、再生部１２０から出力された音信号又は通話その他機能によって受信した音信号を受信し、端末管理制御部１８０又はアプリケーション実行部１９０の制御の下、操作部１７０よって指定された音量の指示に基づいて音信号の信号レベルを増幅する。そして、電力増幅器１３０は、増幅した音信号をスピーカ１１に出力する。
【００４９】
表示部１４０は、所定のサイズ（例えば、５インチ、Ｗ４８０×Ｈ９６０ピクセル）の画像表示領域を有し、液晶素子又はＥＬ（Ｅｌｅｃｔｒｏ  Ｌｕｍｉｎｅｓｃｅｎｃｅ）素子のパネルによって構成され、表示制御部１５０において生成された表示データに基づいて所定の画像を表示するようになっている。
【００５０】
特に、本実施形態では、表示部１４０は、再生部１２０と連動しつつ、管理サーバ装置４０から送信された配信データに含まれる歌唱中の歌唱ユーザの撮像画像を表示する。また、表示部１４０は、配信データの表示中、アプリケーション実行部１９０によって歌唱ユーザの評価を行うための各種の表示を行う。
【００５１】
表示制御部１５０は、端末管理制御部１８０及びアプリケーション実行部１９０の制御の下、表示部１４０に所定の画像を描画させるために必要な描画データを生成し、生成した描画データを当該表示部１４０に出力する。
【００５２】
操作部１７０は、各種の確認ボタン、各操作指令を入力する操作ボタンその他のキーであって、表示部１４０上に設けられたタッチセンサにより構成され、各操作を行う際に用いられるようになっている。特に、操作部１７０は、のど自慢ゲームアプリを実行する際に、各種の操作を行うために用いられる。
【００５３】
端末管理制御部１８０は、主に中央演算処理装置（ＣＰＵ）によって構成されるとともに、キー入力ポート、表示制御ポート等の各種入出力ポートを含み、通信端末装置１０の全般的な機能及び情報提供プログラムを実行するための全般的な機能を総括的に制御する。
【００５４】
アプリケーション実行部１９０は、独立した中央演算処理装置（ＣＰＵ）によって構成され、又は、端末管理制御部１８０の中央演算処理装置（ＣＰＵ）を用いて構成される。
【００５５】
特に、アプリケーション実行部１９０は、
（１）カラオケ装置３０によってのど自慢ゲームを行う際に再生されるカラオケの楽曲の選曲が受け付けられて、かつ、当該選曲した歌唱ユーザに対する評価を希望する場合に、管理サーバ装置４０に応募者として登録し、
（２）複数の応募者の中から後述する所定の選定条件を具備する評価者として選定された際に、管理サーバ装置４０から配信されたデータであって、カラオケ装置３０によって再生された楽曲の楽音とともに歌唱する歌唱ユーザの画像と、歌唱音と、を含む配信データを取得し、
（３）歌唱中の歌唱ユーザの評価を評価データとして管理サーバ装置４０に送信する、
各種の処理を実行する。
【００５６】
そして、配信データには、複数の評価ユーザからの評価データの評価が後述する所定の評価条件を具備してカラオケ装置３０におけるカラオケの再生を中断させた場合の歌唱ユーザの画像を含み、送信された評価データが、管理サーバ装置４０のデータベース４００に登録されるとともに、管理サーバ装置４０において、既に登録された評価データが、評価ユーザを選定する際に用いられる。
【００５７】
具体的には、アプリケーション実行部１９０は、端末管理制御部１８０による制御の下、のど自慢ゲームアプリを実行することにより、
（Ａ）カラオケ装置３０によってのど自慢ゲームの開始要求（カラオケの楽曲の選曲を含む）が受け付けられた際に、当該カラオケの楽曲その他の情報を含むのど自慢ゲームにおける評価者を募集する旨のデータを受信した場合に、表示部１４０に当該告知を表示する告知処理、
（Ｂ）告知処理によって告知されたのど自慢ゲームに、歌唱ユーザを評価する評価者となることを希望し、管理サーバ装置４０に応募者として登録する応募処理、
（Ｃ）応募者の中から評価者として選定された場合に、管理サーバ装置４０から配信された配信データを取得し、視聴可能に再生する再生視聴処理、及び、
（Ｄ）歌唱ユーザの歌唱中の撮像画像を歌唱音とともに視聴している際に、評価者としてその評価を行う評価処理、
を含む各処理を実行する。
【００５８】
特に、アプリケーション実行部１９０は、告知処理としては、カラオケサービスの提供を行うユーザ固有のホームページであって、楽曲情報とともに歌唱ユーザを特定した識別情報（以下、「ゲームＩＤ」という。）を含む情報（以下、「募集告知情報」という。）を掲示したＷｅｂページをブラウザによってユーザに閲覧可能に表示部１４０に表示させることによって告知する。
【００５９】
また、アプリケーション実行部１９０は、上記のＷｅｂページに形成されたボタンであって、のど自慢ゲーム毎に形成され、かつ、評価者として応募するためボタン（以下、「応募ボタン」という。）がタッチされることによって応募処理を実行する。
【００６０】
そして、アプリケーション実行部１９０は、評価者として選定された際に、再生視聴処理を行う場合には、該当する歌唱ユーザ（応募する際に特定した歌唱ユーザ）の撮像画像を表示するとともに、当該歌唱ユーザの楽音を含む歌唱音の出力するための所定のフレームから構成されるプラグインをブラウザ内に起動させ、撮像画像及び歌唱音を含むブラウザ用データの受信しつつ、当該ブラウザを用いてストリーミングによって画像及び音の再生を行う。
【００６１】
さらに、アプリケーション実行部１９０は、表示制御部１５０と連動して、ストリーミングの再生中に、ブラウザの表示の一部に歌唱ユーザの歌唱を評価するための不評ボタンを形成させる。そして、アプリケーション実行部１９０は、当該不評ボタンがタッチされた場合に、通信端末装置１０のユーザにおけるユーザＩＤ及び参加中のゲームＩＤとともに不評を示す評価データを管理サーバ装置４０に送信する評価処理を実行する
【００６２】
［３］カラオケ装置
次に、図４を用いて本実施形態のカラオケ装置３０について説明する。なお、図４は、本実施形態のカラオケ装置３０の構成を示すブロック図である。
【００６３】
本実施形態のカラオケ装置３０は、図４に示すように、管理サーバ装置４０から取得したカラオケデータ及びそれに対応した選曲番号が記録される記録装置３００と、ネットワーク２０に通信接続され、管理サーバ装置４０からカラオケデータを取得するネットワーク管理部３１０と、取得したカラオケデータに含まれる楽曲データを再生するカラオケ再生部３２０と、マイクロホン３３から入力された音声信号に対して所定の処理を行う音声入力処理部３３０と、再生された楽曲データに対応してカラオケ用の楽音をスピーカ３４に拡声させる拡声処理部３４０、を有している。
【００６４】
また、カラオケ装置３０は、楽曲データの再生中に背景画像、カラオケ画像及び歌詞を表示するための表示部３２と、表示部３２を制御する表示制御部３５０と、歌唱ユーザを撮像する撮像カメラ装置３１と、撮像カメラ装置３１から出力された撮像画像から撮像画像データを生成する画像処理部３６０と、操作部３７０と、ＲＯＭ／ＲＡＭ３８０と、システム制御部３９０と、を有している。
【００６５】
なお、カラオケ装置３０の各部は、バス３５によって相互に接続されており、データの授受を実行している。
【００６６】
撮像カメラ装置３１は、光電変換する撮像素子（以下、「ＣＣＤ」という）と、当該ＣＣＤを格納する筐体及び撮像レンズなどのカメラ機構と、を備え、カラオケ中にＣＣＤに形成された対象物の影像をフレーム毎に所定の画像データに変換し、画像処理部３６０に出力するようになっている。また、撮像カメラ装置３１は、システム制御部３９０によって撮像開始などの各種の動作が制御される。
【００６７】
表示部３２は、例えば、有機ＥＬ（Ｅｌｅｃｔｒｏ−Ｌｕｍｉｎｅｓｃｅｎｃｅ）素子又は液晶表示素子によって構成され、表示制御部３５０の制御にしたがって所定の映像信号を表示する。具体的には、表示部３２は、背景画像を表示しつつ、歌詞データの出力、すなわち、再生される楽曲に併せてテロップデータを表示する。また、表示部３２は、のど自慢サービスを享受する際に、所定の画像を表示する。
【００６８】
マイクロホン３３は、歌唱ユーザの歌唱音を集音し、所定の信号に変換し、当該変換した信号を音声入力処理部３３０に出力する。
【００６９】
スピーカ３４は、カラオケ装置３０が設けられた設置場所に適したシステムによって構成されている。
【００７０】
記録装置３００には、ＨＤＤ（Ｈａｒｄ  Ｄｉｓｃ  Ｄｒｉｖｅ）又はＳＳＤ（Ｓｏｌｉｄ  Ｓｔａｔｅ  Ｄｒｉｖｅ）により構成され、その記録領域内に曲調毎に対応付けられた背景画像のデータ（以下、「背景画像データ」という。）と、いくつかのカラオケデータが記録されている。なお、背景画像は、楽曲データに含まれる曲調情報その他の情報によって選択される。
【００７１】
ネットワーク管理部３１０は、システム制御部３９０の制御の下、ネットワークを介して管理サーバ装置４０に接続して通信回線を構築し、新譜などの楽曲データの授受のための通信を行う。また、操作部３７０によって入力されたカラオケデータを指定する選曲番号のデータ（以下、「選曲番号データ」という。）から記録装置３００に該当する楽曲のカラオケデータがない場合に、ネットワーク管理部３１０は、管理サーバ装置４０から、選曲番号データの選曲番号に対応付けられて記録されているカラオケデータを取得し、カラオケ再生部３２０に出力するようになっている。
【００７２】
また、ネットワーク管理部３１０は、のど自慢サービスにおいて歌唱ユーザの撮像画像を配信する際に、楽曲データの楽音と歌唱音がミキシングされた音データと画像処理部３６０から出力された歌唱ユーザの撮像画像のデータとから配信データを生成し、生成した配信データを管理サーバ装置４０に送信する。
【００７３】
カラオケ再生部３２０は、システム制御部３９０の制御の下、操作部３７０を介して入力された選曲番号から出力された選曲番号データに基づいて、記録装置３００から取得又はネットワーク管理部３１０を介して管理サーバ装置４０からカラオケデータを取得する。そして、カラオケ再生部３２０は、取得したカラオケデータに含まれる楽曲データに基づいてＭＩＤＩ音源を制御する再生処理を実行する。
【００７４】
また、カラオケ再生部３２０は、楽曲データの再生開始時に、楽曲データに基づいて記録装置３００に記録された背景画像データを選択して出力開始を指示する。
【００７５】
さらに、カラオケ再生部３２０は、音声入力処理部３３０から出力されたマイクロホン３３によって集音された集音データと再生処理によって生成された楽音データをミキシングしつつ、拡声処理部３４０に出力するとともに、のど自慢サービスによって歌唱ユーザの撮像画像を配信データとして配信する際に、ミキシングされた楽音を含む歌唱音のデータをネットワーク管理部３１０に出力する。
【００７６】
そして、カラオケ再生部３２０は、カラオケデータに含まれるテロップデータに基づいて、表示制御部３５０を制御して表示部３２に所定のタイミングにて歌詞を出力するようになっている。
【００７７】
音声入力処理部３３０は、マイクロホン３３から入力された信号を増幅その他の処理を実行しつつ、デジタル信号に変換し、カラオケ再生部３２０に出力する。
【００７８】
拡声処理部３４０は、システム制御部３９０の制御の下、再生部３２０から出力された音データをアナログ形式のオーディオ信号に変換する処理及び変換されたオーディオ信号を所定のレベルに増幅してスピーカ３４に出力する処理を行う。
【００７９】
表示制御部３５０は、システム制御部３９０の制御の下、表示部３２に所定の画像を描画させるために必要な描画データを生成し、生成した描画データを当該表示部３２に出力する。
【００８０】
画像処理部３６０は、のど自慢サービスにおける歌唱中の歌唱ユーザの撮像が実行された場合に、歌唱ユーザの撮像画像から所定の形式の撮像動画像データを生成し、ネットワーク管理部３１０に出力する。
【００８１】
操作部３７０は、カラオケ装置３０本体に設けられ、又は、リモートコントロールユニットによって構成される。そして、操作部３７０は、各種の確認ボタン、各操作指令を入力する操作ボタンその他のキーにより構成され、各操作を行う際に用いられる。
【００８２】
ＲＯＭ／ＲＡＭ３８０には、カラオケ装置３０の駆動に必要な各種のプログラムが記録されているとともに、ＲＯＭ／ＲＡＭ３８０は、カラオケデータの再生中又はのど自慢サービスを実行する際にワークエリアとして機能する。
【００８３】
システム制御部３９０は、主に中央演算処理装置（ＣＰＵ）によって構成されるとともに、キー入力ポート、表示制御ポート等の各種入出力ポートを含み、カラオケ装置３０の全般的な機能を総括的に制御する。
【００８４】
特に、本実施形態のシステム制御部３９０は、管理サーバ装置４０の制御に従って、カラオケ再生部３２０その他を制御してカラオケデータの再生制御（すなわち、再生開始制御及び再生中断制御）を実行する。また、システム制御部３９０は、日付けも含めて現在時刻を管理するタイマー機能を有している。
【００８５】
また、システム制御部３９０は、操作部３７０の操作に基づいて、管理サーバ装置４０によって提供されるのど自慢サービスを含むカラオケサービスにログインするための各種の処理を実行する。そして、システム制御部３９０は、操作部３７０の操作に応じて、ユーザの属性情報の登録やその変更の他に、のど自慢ゲームの開始要求の指示、その際の楽曲の選曲、撮像カメラ装置及び音響効果制御を行うことができるようになっている。
【００８６】
なお、システム制御部３９０は、のど自慢ゲームの開始要求後にカラオケデータの再生指示を受信するまでは、通常のカラオケを行うための各種の制御を行うことができるようになっており、通常のカラオケ動作中に、のど自慢ゲームにおけるカラオケデータの再生指示を受信すると、当該カラオケの再生終了後に、又は、当該カラオケの再生を強制的に終了させて、のど自慢ゲームにおけるカラオケの再生その他の処理を実行する。
【００８７】
［４］管理サーバ装置
次に、図５を用いて本実施形態の管理サーバ装置４０について説明する。なお、図４は、本実施形態の管理サーバ装置４０の構成を示すブロック図である。
【００８８】
本実施形態の管理サーバ装置４０は、図５に示すように、カラオケデータその他のデータが記録されるデータベース４００と、ネットワーク２０に通信接続される通信制御部４１０と、各種のメモリとして機能するＲＯＭ／ＲＡＭ４２０と、カラオケデータの配信及びのど自慢サービスを提供する際に各種の処理を実行するデータ処理部４３０と、装置全体を制御するサーバ管理制御部４６０と、を有し、上記の各部は、バス４１によって相互に接続されている。
【００８９】
通信制御部４１０は、所定のネットワークインターフェースであり、ネットワーク２０を介して通信端末装置１０及びカラオケ装置３０とデータの授受を行う。
【００９０】
ＲＯＭ／ＲＡＭ４２０には、管理サーバ装置４０の駆動に必要な各種のプログラムが記録されている。また、ＲＯＭ／ＲＡＭ４２０は、サーバ管理制御部４６０やデータ処理部４３０が各種の処理を実行する際のワークエリアとして用いられる。
【００９１】
データベース４００は、ＨＤＤ（Ｈａｒｄ  Ｄｉｓｃ  Ｄｒｉｖｅ）又はＳＳＤ（Ｓｏｌｉｄ  Ｓｔａｔｅ  Ｄｒｉｖｅ）により構成され、その記録領域内に各カラオケデータが記録されるカラオケデータデータベース（以下、「カラオケデータＤＢ」という。）４０１、各カラオケデータの属性を示すカラオケ属性情報が記録されるカラオケ属性情報データベース（以下、「カラオケ属性情報ＤＢ」という。）４０２と、各ユーザの歌唱履歴及び属性が記録されるユーザ情報が記録されるユーザ情報データベース（以下、「ユーザ情報ＤＢ」という。）４０３と、ユーザ毎に評価データが記録される評価データデータベース（以下、「評価データＤＢ」という。）４０４と、を有している。
【００９２】
カラオケデータＤＢ４０１には、各カラオケデータの識別情報（以下、「カラオケＩＤ」という。）に対応付けて、カラオケの楽曲データと、歌詞データ及び当該歌詞データを表示する表示制御データから構成されるテロップデータと、が記録されている。
【００９３】
カラオケ属性情報ＤＢ４０２には、カラオケＩＤに対応付けられて、楽曲の作詞家、作曲家及び歌手（アーティスト）、１０代や２０代などの年代別のランキング順位、２０００年などの年代別ランキングの順位、喜怒哀楽などの楽曲の雰囲気、並びに、曲の再生時間などの各種の属性（以下、「楽曲属性」という。）の情報（以下、「楽曲属性情報（第２属性情報）」とい。）が記録されている。
【００９４】
ユーザ情報ＤＢ４０３には、カラオケサービスを享受するユーザ（すなわち、歌唱ユーザや応募ユーザ）毎に、ユーザＩＤに対応付けられて、カラオケに関するサービスを受けるために登録されたカラオケに関する情報、歌唱ユーザの年齢、性別及び職業などのユーザ情報、歌唱ユーザの嗜好情報、歌唱ユーザの過去の歌唱履歴の楽曲毎の採点結果を含む歌唱ユーザ情報と、が属性情報（以下、「ユーザ属性情報（第１属性情報）」という。）として記録されている。
【００９５】
評価データＤＢ４０４には、カラオケサービスを享受するユーザ（すなわち、歌唱ユーザ）毎に、ユーザＩＤに対応付けられて、のど自慢サービスにおいて評価者（評価ユーザ）として評価を行った際の不評の有無と、評価を行った日時、楽曲及び対象ユーザのユーザＩＤが記録されている。
【００９６】
サーバ管理制御部４６０は、主に中央演算処理装置（ＣＰＵ）によって構成され、プログラムを実行することによって、管理サーバ装置４０の各部を統合制御する。
【００９７】
データ処理部４３０は、サーバ管理制御部４６０による制御の下、通信端末装置１０及びカラオケ装置３０と連動し、のど自慢サービスを提供する。
【００９８】
特に、データ処理部４３０は、のど自慢サービス実行アプリを実行することによって、
（１）のど自慢ゲームへの管理
（２）カラオケ装置３０の再生制御
（３）非歌唱ユーザの評価者への応募管理
（４）応募者の中から評価者を選定する選定処理
（５）のど自慢ゲーム中の撮像画像及び歌唱音の配信処理
（６）のど自慢ゲーム中の歌唱ユーザに対する評価処理
（７）のど自慢ゲームの終了後に算出されるランキング処理
（８）各評価ユーザの評価データの登録管理
を行う。
【００９９】
具体的には、データ処理部４３０は、上記の各処理を実行するために、のど自慢サービス実行アプリを実行することによって、ＤＢ管理制御部４３１、ユーザ管理部４３２、評価者選定処理部４３３、評価処理部４３４、再生制御部４３５、配信処理部４３６、及び、ランキング算出処理部４３７を実現する。
【０１００】
例えば、本実施形態のＤＢ管理制御部４３１は、本発明の登録手段及び管理手段を構成し、評価者選定処理部４３３は、本発明の選定手段を構成する。また、例えば、本実施形態の評価処理部４３４は、本発明の評価受け付け手段及び評価手段を構成し、再生制御部４３５は、本発明の再生制御手段を構成する。さらに、例えば、本実施形態の配信処理部４３６は、本発明の配信手段を構成し、ランキング算出処理部４３７は、本発明の算出手段及び決定手段を構成する。
【０１０１】
ＤＢ管理制御部４３１は、各ＤＢに対するデータの読み出し及び書き込みを管理する。
【０１０２】
特に、ＤＢ管理制御部４３１は、評価処理においてのど自慢ゲームに評価ユーザとして参加している通信端末装置１０から評価データ（すなわち、不評の評価データ）を受信すると、ユーザＩＤに対応付けて、ゲームＩＤ、歌唱ユーザＩＤ及びカラオケ中の楽曲などの関連する情報とともに、評価データＤＢ４０４に登録する。
【０１０３】
また、ＤＢ管理制御部４３１は、評価者選定処理が実行される際に、評価者選定処理部４３３と連動して、カラオケ属性情報ＤＢ４０２、ユーザ情報ＤＢ４０３及び評価データＤＢ４０４を検索し、のど自慢ゲームにおいて用いられる楽曲の情報及び応募者のユーザＩＤに対応付けて記録されているユーザのユーザ情報を取得し、評価者選定処理部４３３に提供する。
【０１０４】
そして、ＤＢ管理制御部４３１は、ランキング算出処理が実行される際に、ランキング算出処理部４３７と連動して、カラオケ属性情報ＤＢ４０２を検索し、ランキングを算出する際に必要な情報、例えば、のど自慢ゲームにおいて用いられる楽曲の各ユーザのランキングとその記録を示す情報を取得し、ランキング算出処理部４３７に提供する。
【０１０５】
ユーザ管理部４３２は、のど自慢ゲームに応募者として参加しているユーザの通信端末装置１０と連動し、評価者選定処理部４３３において実施される各選定処理に基づく応募管理を行う。
【０１０６】
特に、ユーザ管理部４３２は、評価者として評価ユーザに選定されたユーザの通信端末装置１０に評価ユーザとしての権限を与え、のど自慢ゲームにおいて、カラオケ装置３０によって選曲された楽曲が再生されてカラオケが開始された際に、当該再生された楽曲の楽音とともに歌唱する歌唱ユーザが撮像された撮像画像と、当該楽音を含む歌唱音と、含むブラウザ用データを配信する通信端末装置１０として管理するとともに、評価データの送信許可を与え、当該評価データの送信可能な通信端末装置１０として管理する。
【０１０７】
評価者選定処理部４３３は、複数の応募者の中から所定の選定条件を具備する応募ユーザを評価者として選定する。特に、本実施形態の評価者選定処理部４３３は、
（Ａ）登録された各応募者のユーザ情報に基づいて、複数の応募ユーザの中から選曲された楽曲に関連性のある応募ユーザを選定者（以下、「１次選定者」という。）として選定する第１選定処理と、
（Ｂ）第１選定処理において選定した１次選定者の中から、既に評価データＤＢ４０４に登録された応募者の評価データの履歴に基づいて、所定の選定条件を具備する応募ユーザを評価ユーザ（以下、「最終選定者」ともいう。）として選定する第２選定処理と、
を実行する。
【０１０８】
具体的には、評価者選定処理部４３３は、第１選定処理としては、応募者登録要求を送信したユーザ（応募ユーザ）のユーザＩＤに基づいてユーザ情報ＤＢ４０３を検索し、該当するユーザＩＤのユーザ属性情報を取得するとともに、当該ユーザ属性情報（すなわち、応募ユーザのユーザ属性情報）、又は、当該ユーザの属性及び選曲された楽曲（歌唱者がゲームに用いるカラオケの楽曲）のカラオケ属性情報ＤＢ４０２に記録されている楽曲属性情報、に基づいて、複数の応募ユーザの中から選曲された楽曲に関連性のある応募ユーザを１次選定者として選定する。
【０１０９】
例えば、評価者選定処理部４３３は、
（１）応募ユーザの年齢が属する年代の楽曲ランキングの所定順位（例えば２０位）以内に当該楽曲がランクインしている場合、
（２）応募ユーザの歌唱履歴にある楽曲の場合、又は、
（３）応募ユーザの楽曲登録リスト（お気に入りリスト）にリスト化されている楽曲の場合に、
当該応募ユーザを１次選定者として選定する。なお、評価者選定処理部４３３は、（１）の場合など、必要に応じて選曲された楽曲のカラオケ属性情報ＤＢ４０２に記録されている楽曲属性情報を参照する。
【０１１０】
一方、評価者選定処理部４３３は、第２選定処理としては、１次選定者に対して当該１次選定者の評価データＤＢ４０４に登録された当該１次選定者の評価データの履歴を取得し、所定の選定条件を具備する応募ユーザであるかいなかを判断する処理を実行させる。
【０１１１】
例えば、評価者選定処理部４３３は、
（１）１次選定者が評価ユーザとして過去の、のど自慢ゲームにおいて評価した結果を示す評価データのうち、全体の不評の評価が所定の割合（例えば８０％）未満
（２）１次選定者の歌唱履歴においてカラオケの音程、声量、リズム及びテクニックに基づいて採点された結果が所定の点数（例えば８０点）以上、
（３）年齢やその年代別、男女別、特定のアーティスト、特定のジャンル、又は特定の楽曲など特定の条件に基づく不評の評価が所定に割合（例えば８０％）未満
（４）不評の評価を行うまでの評価時間の平均が歌い出しから所定秒数（例えば、２０秒）以上、
などの特定の条件を具備する応募ユーザ（１次選定者）を評価ユーザとして選定する。
【０１１２】
なお、本実施形態においては、評価データにおける不評の割合が少ないか否かではなく、適切に評価を行っているかどうかを判定するため、不評の評価の割合が高くても評価ユーザとして許容される。また、上記の（２）を第２選定処理で用いる場合には、第１選定処理においては、当然に（２）の歌唱履歴に含まれているか否かによって第１選定処理が実行されることになる。
【０１１３】
評価処理部４３４は、のど自慢ゲームにおいて歌唱ユーザがカラオケによって歌唱中に、評価ユーザの通信端末装置１０から送信された不評を示す評価データを、評価ユーザ数を基準に、又は、受信数を基準に、累積加算を実行し、評価ユーザ数又は受信数が所定数に達した場合には再生中断条件を具備したと判定する。
【０１１４】
なお、評価処理部４３４は、評価ユーザ数を基準に不評を示す評価データを算出する場合には、同一の評価ユーザの通信端末装置１０から複数回評価データが送信されても、初回のみ「１」を加算し、また、受信数を基準に不評を示す評価データを算出する場合には、同一の評価ユーザの通信端末装置１０であっても受信した回数だけ受信数を加算して、再生中断条件を判定する。
【０１１５】
再生制御部４３５は、評価者選定処理又は評価処理の結果に基づいて、該当するカラオケ装置３０の再生開始制御及び再生中断制御を実行する。
【０１１６】
配信処理部４３６は、のど自慢ゲームによってカラオケ装置３０から提供された歌唱ユーザの撮像画像及び歌唱音を配信データとして受信すると、ブラウザ用データに変換し、評価ユーザとして選定されたユーザの通信端末装置１０に対してのみ送信する。
【０１１７】
ランキング算出処理部４３７は、のど自慢ゲームにおいてカラオケデータが再生された時間を算出するとともに、カラオケ属性情報ＤＢ４０２から該当するカラオケＩＤの過去のランキング情報を取得し、各ランキングの再生時間と、算出した再生時間とを比較して再生時間の長い方から順に順位付けをする当該のど自慢ゲーム時のランキングを再計算する。そして、ランキング算出処理部４３７は、再計算されたランキングにおいて当該のど自慢ゲームにおける順位を決定する。
【０１１８】
［５］のど自慢ゲーム
［５．１］管理サーバ装置
次に、図６及び７を用いて本実施形態の管理サーバ装置４０にて実行されるのど自慢ゲームの各処理の動作について説明する。なお、図６及び図７は、本実施形態の管理サーバ装置４０において実行されるのど自慢ゲームの各処理の動作を示すフローチャートである。
【０１１９】
本動作は、カラオケ装置３０と連動して実行される動作であり、カラオケ装置３０を介してユーザがのど自慢サービスを含むカラオケサービスにログインしているものとする。
【０１２０】
また、本動作においては、予めカラオケデータ、カラオケ属性情報、ユーザ属性情報及び評価データがそれぞれカラオケデータＤＢ４０１、カラオケ属性情報ＤＢ４０２、ユーザ情報ＤＢ４０３及び評価データＤＢ４０４にそれぞれ登録されているものとする。
【０１２１】
ユーザ管理部４３２は、通信制御部４１０を介してカラオケ装置３０からカラオケサービスにログインしている歌唱ユーザののど自慢ゲームの開始要求及び選曲した楽曲情報（楽曲名及びカラオケＩＤを含む。）を受け付けると（ステップＳ１０１）、通信制御部４１０を介して当該カラオケサービスにログインしている他のユーザ（すなわち、非歌唱ユーザ）の通信端末装置１０に対して楽曲情報とともに歌唱ユーザの評価を希望する評価者への応募するための応募告知情報（ゲームＩＤを含む。）を生成し、生成した応募告知情報を送信する（ステップＳ１０２）。
【０１２２】
このとき、ユーザ管理部４３２は、ステップＳ１０２の処理においては、評価者に応募する応募者としての登録要求（すなわち、応募者登録要求）の受信を待機する。
【０１２３】
次いで、ユーザ管理部４３２は、通信制御部４１０を介して通信端末装置１０から応募者登録要求を受信すると（ステップＳ１０３）、当該登録要求に含まれるゲームＩＤを特定するとともに、当該登録要求を送信したユーザＩＤを特定し、特定したゲームＩＤ及びユーザＩＤに基づいて、評価者選定処理部４３３に第１選定処理を実行させる（ステップＳ１０４）。
【０１２４】
具体的には、評価者選定処理部４３３は、特定したゲームＩＤに基づいて応募ユーザとして登録するのど自慢ゲームを特定するとともに、応募者登録要求を送信したユーザ（すなわち、応募ユーザ）のユーザＩＤに基づいてユーザ情報ＤＢ４０３を検索し、該当するユーザＩＤのユーザ属性情報を取得する。
【０１２５】
また、評価者選定処理部４３３は、特定したのど自慢ゲームに基づいて当該ゲームに用いるカラオケの楽曲ＩＤを特定するとともに、特定した楽曲ＩＤに基づいてカラオケ属性情報ＤＢ４０２を検索し、該当するカラオケＩＤに対応付けて登録されている楽曲属性情報を取得する。
【０１２６】
そして、評価者選定処理部４３３は、応募ユーザの属性情報と、楽曲属性情報と、に基づいて、選曲された楽曲に関連性のある応募ユーザを１次選定者として選定（ステップＳ１０４）する。
【０１２７】
すなわち、評価者選定処理部４３３は、記録された各応募ユーザの属性情報に基づいて、複数の応募ユーザの中から選曲された楽曲に関連性のある応募ユーザを１次選定者として選定する第１選定処理を実行する。
【０１２８】
なお、評価者選定処理部４３３は、例えば、応募ユーザの年齢が属する年代の楽曲ランキングの所定順位（例えば２０位）以内に当該楽曲がランクインしている場合など所定の条件を具備する応募ユーザを１次選定者として選定する。
【０１２９】
次いで、評価者選定処理部４３３は、応募ユーザを１次選定者として選定したか否かを判定するとともに（ステップＳ１０５）、当該応募ユーザを１次選定者として選定しなかった場合には、通信制御部４１０を介してその旨（落選通知）を該当する通信端末装置１０に送信し（ステップＳ１０６）、応募者登録要求の受信を待機しつつステップＳ１０３の処理に移行する。
【０１３０】
一方、評価者選定処理部４３３は、ステップＳ１０５の処理において、当該応募ユーザを１次選定者として選定したと判断した場合には、当該１次選定者の評価データＤＢ４０４に登録された当該１次選定者の評価データの履歴に基づいて、所定の選定条件を具備する応募ユーザであるかいなか、すなわち、評価ユーザ（最終選定者）として選定すべきか否かを判断する第２選定処理を実行させる（ステップＳ１０７）。
【０１３１】
具体的には、評価者選定処理部４３３は、１次選定者が評価ユーザとして過去ののど自慢ゲームにおいて評価した結果を示す評価データのうち、全体の不評の評価が８０％未満であるなど所定の選定条件を具備している応募ユーザ（１次選定者）を評価者として選定する。
【０１３２】
次いで、評価者選定処理部４３３は、応募ユーザが評価者（すなわち、最終選定者）として選定されたか否かを判定するとともに（ステップＳ１０８）、当該応募ユーザを評価者として選定しなかったと判定した場合には、通信制御部４１０を介してその旨を該当する通信端末装置１０に送信し（ステップＳ１０６）、応募者登録要求の受信を待機しつつステップＳ１０３の処理に移行する。
【０１３３】
他方、評価者選定処理部４３３は、ステップＳ１０８の処理において、当該１次選定者を評価者として選定したと判定した場合には、通信制御部４１０を介して該当する通信端末装置１０に評価者として登録された登録通知（当選通知）を送信する（ステップＳ１０９）。
【０１３４】
次いで、再生制御部４３５は、のど自慢ゲームの開始条件を具備したか否か、すなわち、評価者として選定された評価ユーザが予め定められた人数に達したか否かを判定するとともに（ステップＳ１１０）、当該開始条件を具備したと判定した場合には、ステップＳ１１１の処理に移行し、当該開始条件を具備したと判定しなかった場合には、ステップＳ１０３の処理に移行する。
【０１３５】
次いで、再生制御部４３５は、のど自慢ゲーム開始条件を具備すると、該当するカラオケ装置３０、すなわち、のど自慢ゲームの開始要求を行ったカラオケ装置３０に選曲した楽曲に基づくカラオケ再生開始を指示する（ステップＳ１１１）。
【０１３６】
このとき、再生制御部４３５は、該当する楽曲のカラオケデータをカラオケデータＤＢ４０１から読み出し、通信制御部４１０を介して該当するカラオケ装置３０に送信する。また、配信処理部４３６は、配信データの受信を待機するとともに、評価ユーザに設定された通信端末装置１０にのど自慢ゲームが開始されることを通知する。
【０１３７】
なお、該当するカラオケ装置３０においては、要求したのど自慢ゲームの開始条件が具備されたことを表示するとともに、歌唱ユーザにおける操作に基づいて該当するカラオケデータの再生が開始される。
【０１３８】
次いで、配信処理部４３６は、通信制御部４１０を介して該当するカラオケ装置３０から配信データの受信を開始すると（ステップＳ１１２）、評価ユーザが評価を行うための操作が可能な評価ボタン及び受信した不評の評価数を評価ユーザに閲覧可能となるようにブラウザ上に組み込みつつ、該当する通信端末装置１０において歌唱ユーザの撮像画像及び楽曲の楽音を含む歌唱音について視聴可能なブラウザ用データの送信を開始する（ステップＳ１１３）。
【０１３９】
なお、本実施形態のブラウザ用データが配信された通信端末装置１０における動作の詳細については、のど自慢ゲームにおける通信端末装置１０の動作の説明の際に詳述する。
【０１４０】
次いで、再生制御部４３５は、予め定められた時間待機して（ステップＳ１１４）、カラオケデータの再生が終了したか否かを判定し（ステップＳ１１５）、当該カラオケデータの再生が終了したと判定した場合には、ステップＳ１２１の処理に移行する。
【０１４１】
一方、再生制御部４３５は、ステップＳ１１５の処理において、カラオケデータの再生が終了していないと判定した場合には、評価処理部４３４に、通信制御部４１０を介して評価ユーザの通信端末装置１０から不評を示す評価データの受信の有無を判定させる（ステップＳ１１６）。このとき、評価処理部４３４は、不評を示す評価データを受信していないと判定した場合には、ステップＳ１１４の処理に移行し、不評を示す評価データを受信したと判定した場合には、ステップＳ１１７の処理に移行する。
【０１４２】
次いで、再生制御部４３５は、ステップＳ１１６の処理において不評を示す評価データを受信したと判定した場合には、評価処理部４３４に、再生しているカラオケの再生中断条件を具備するか否かを判定させる（ステップＳ１１７）。
【０１４３】
具体的には、評価処理部４３４は、不評を示す評価データを送信した評価ユーザが所定数に達した場合など所定の条件を具備した場合に、再生中断条件を具備したと判定する。
【０１４４】
このとき、再生制御部４３５は、評価処理部４３４によって再生中断条件が具備されていないと判定した場合には、不評の評価数を「１」加算して（ステップＳ１１８）、ステップＳ１１４の処理に移行する。このとき、再生制御部４３５は、通信制御部４１０を介して不評の評価数の更新を該当する通信端末装置１０に指示する。
【０１４５】
また、再生制御部４３５は、評価処理部４３４によって再生中断条件が具備されたと判定した場合には、該当するカラオケ装置３０にカラオケデータの再生を中断（強制終了）させるとともに、評価ユーザの通信端末装置１０へのブラウザ用データの送信を中断する（ステップＳ１１９）。
【０１４６】
次いで、再生制御部４３５は、ステップＳ１１５又はステップＳ１１９の処理においてカラオケデータの再生終了又はその中断が行われると、通信制御部４１０を介して評価ユーザの通信端末装置１０及び当該カラオケ装置３０に完走による再生終了又は強制終了であることを表示させるためのデータを送信（通知）する（ステップＳ１２１）。
【０１４７】
次いで、ランキング算出処理部４３７は、カラオケ属性情報ＤＢ４０２から該当するカラオケＩＤの過去のランキング情報を取得し、当該カラオケデータの再生時間に基づくランキングを算出する（ステップＳ１２２）。
【０１４８】
次いで、ランキング算出処理部４３７は、通信制御部４１０を介して評価ユーザの通信端末装置１０及び当該カラオケ装置３０に算出したランキング結果を示すデータを送信するとともに、再生制御部４３５は、通信制御部４１０を介してのど自慢ゲームの終了を通知する（ステップＳ１２３）。
【０１４９】
なお、評価ユーザの通信端末装置１０及び該当するカラオケ装置３０は、のど自慢ゲームの終了が通知されると、当該カラオケデータに基づくのど自慢ゲームを終了させる。
【０１５０】
最後に、ＤＢ管理制御部４３１は、各評価ユーザの通信端末装置１０から送信された評価データを、日時、カラオケＩＤを含む各カラオケの情報と歌唱ユーザのユーザＩＤを含む歌唱ユーザのユーザ情報を評価データとともに、評価データＤＢ４０４に登録し（ステップＳ１２４）、本動作を終了させる。
【０１５１】
［５．２］通信端末装置
次に、図８及び図９を用いて本実施形態の通信端末装置１０にて実行されるのど自慢ゲームの各処理の動作について説明する。なお、図８及び図９は、本実施形態の通信端末装置１０において実行されるのど自慢ゲームの各処理の動作を示すフローチャートである。
【０１５２】
本動作は、管理サーバ装置４０と連動して実行される動作であり、通信端末装置１０のユーザがのど自慢サービスを含むカラオケサービスにログインしているものとする。
【０１５３】
また、本動作において、表示部１４０には、開催中（応募中）ののど自慢ゲームの情報、すなわち、応募告知情報がゲームＩＤに関連付けられて表示されているものとする。ただし、応募告知情報は、歌唱ユーザ毎に表示されており、表示部１４０には、単一又は複数の応募告知情報を表示することができるようになっている。
【０１５４】
まず、アプリケーション実行部１９０は、操作部１７０を介して一の開催中ののど自慢ゲームにおける評価者として応募の指示を検出すると（ステップＳ２０１）、当該ゲームのゲームＩＤを特定しつつ、ネットワーク通信部１１０を介して特定したゲームＩＤを含む応募者登録要求を管理サーバ装置４０に送信する（ステップＳ２０２）。なお、アプリケーション実行部１９０は、評価者としての選定の可否を示す選定通知データの受信を待機する。
【０１５５】
次いで、アプリケーション実行部１９０は、ネットワーク通信部１１０を介して選定通知データを受信すると（ステップＳ２０３）、当該選定通知データに基づいて評価者として選定されたか否か、すなわち当選したか否かを判定する（ステップＳ２０４）。
【０１５６】
このとき、アプリケーション実行部１９０は、評価者として選定されなかったと判定した場合には、表示制御部１５０と連動して表示部１４０のその旨（落選）を表示して（ステップＳ２０５）本動作を終了させる。
【０１５７】
また、アプリケーション実行部１９０は、評価者として選定されたと判定した場合には、表示制御部１５０と連動して表示部１４０のその旨（当選）を表示するとともに、該当するのど自慢ゲームのゲーム開始通知の受信を待機する（ステップＳ２０６）。
【０１５８】
次いで、アプリケーション実行部１９０は、ネットワーク通信部１１０を介して管理サーバ装置４０から送信された該当するのど自慢ゲームのゲーム開始通知を受信すると（ステップＳ２０７）、歌唱ユーザの撮像画像を表示部１４０への表示、及び、スピーカ１１からの楽音を含む歌唱音を出力するためのブラウザを起動し、ブラウザ用データの受信を待機する（ステップＳ２０８）。
【０１５９】
次いで、アプリケーション実行部１９０は、ネットワーク通信部１１０を介して管理サーバ装置４０から送信されたブラウザ用データを受信すると（ステップＳ２１１）、再生部１２０及び表示制御部１５０と連動し、受信したブラウザ用データに基づく歌唱ユーザの撮像画像の表示部１４０への表示、及び、スピーカ１１からの楽音を含む歌唱音の出力、すなわち、再生出力を開始させる（ステップＳ２１２）。
【０１６０】
なお、再生部１２０及び表示制御部１５０は、ブラウザ用データを受信する限り、又は、電源オフなどの通信端末装置１０自体における再生中断を検出しない限り、歌唱ユーザの撮像画像の表示部１４０への表示、及び、スピーカ１１からの楽音を含む歌唱音の出力を実行する。
【０１６１】
次いで、アプリケーション実行部１９０は、予め定められた時間待機し（ステップＳ２１３）、ネットワーク通信部１１０を介して管理サーバ装置４０から送信されたブラウザ用データの配信が終了したか否かを判定する（ステップＳ２１４）。
【０１６２】
具体的には、アプリケーション実行部１９０は、カラオケの再生において完奏によって終了した場合、又は、再生中に強制終了した場合に、ブラウザ用データの配信が終了したと判定する。
【０１６３】
このとき、アプリケーション実行部１９０は、管理サーバ装置４０から送信されたブラウザ用データの配信が中断されていないと判定した場合には、ユーザによって表示部１４０に表示されている不評ボタンがタッチされたか否か、不評の選択を行ったか否かを判定する（ステップＳ２１６）。そして、アプリケーション実行部１９０は、不評ボタンがタッチされていないと判定した場合には、ステップＳ２１３の処理に移行し、不評ボタンがタッチされたと判定した場合には、ユーザＩＤ及びゲームＩＤとともに不評を示す評価データを管理サーバ装置４０に送信してステップＳ２１３の処理に移行する。
【０１６４】
一方、アプリケーション実行部１９０は、管理サーバ装置４０から送信されたブラウザ用データの配信が中断されたと判定した場合には、その旨（完奏終了又は強制終了を含む。）を表示して（ステップＳ２１７）本動作を終了させる。
【０１６５】
なお、アプリケーション実行部１９０は、本動作の終了後カラオケサービスの初期画面に移行し、その際に、ランキング結果を示すデータを受信した場合には、対象ののど自慢ゲームを特定して当該ゲームの情報（歌唱ユーザや楽曲）を表示しつつ、当該ランキング結果を表示部１４０に表示する。
【０１６６】
［６］変形例
［６．１］変形例１
上記実施形態においては、評価処理において不評の評価データが所定の条件具備した場合に、のど自慢ゲームにおけるカラオケの再生を中断するようになっているが、当該カラオケデータの再生開始から予め定められた時間が経過するまで不評の評価データを受け付けないようにしてもよい。
【０１６７】
この場合には、例えば、Ａメロの部分での評価を実行せずに、最初のサビ部分以降の歌唱で評価処理を行うことができるので、評価ユーザは時間をかけて評価を行うことができるとともに、歌唱ユーザは、緊張により歌い出しでミスが発生しやすい部分での評価を無視することによって適切な評価を望むこと、又は、少し歌唱することによって歌唱の調子を上げることができる期間を確保することができる。
【０１６８】
［６．２］変形例２
上記実施形態においては、管理サーバ装置４０内に各ＤＢを設け、管理及び制御する構成としたが、各ＤＢの管理、制御主体となるコンピュータシステムは、各々、別個なコンピュータシステムによって稼働するようにしてもよい。
【０１６９】
［６．３］変形例３
上記実施形態においては、第１選定処理として、ユーザ属性情報、又は、ユーザ属性情報及び楽曲属性情報とに基づいて、複数の応募ユーザの中から選曲された楽曲に関連性のある応募ユーザを１次選定者として選定しているが、歌唱ユーザのリクエストに基づいて、応募ユーザのユーザ属性情報を参照しつつ、複数の応募ユーザの中から応募ユーザを１次選定者として選定してもよい。
【０１７０】
例えば、歌唱ユーザが選曲を行う際に、応募ユーザの属性、具体的には、男女別、年齢や年代の指定、又は、選曲の楽曲が歌唱履歴にあるか、選曲の楽曲のアーティストがお気に入りリストに登録されているかなどを要求情報として登録させ、当該登録された要求情報に基づいて1次選定者を選定してもよい。
【符号の説明】
【０１７１】
１  …  カラオケネットワークシステム
１０  …  通信端末装置
２０  …  ネットワーク
３０  …  カラオケ装置
４０  …  管理サーバ装置
１００  …  記録部
１０１  …  アプリケーション記録部
１１０  …  ネットワーク通信部
１２０  …  再生部
１３０  …  電力増幅器
１４０  …  表示部
１５０  …  表示制御部
１７０  …  操作部
１８０  …  端末管理制御部
１９０  …  アプリケーション実行部
３００  …  記録装置
３１０  …  ネットワーク管理部
３２０  …  カラオケ再生部
３３０  …  音声入力処理部
３４０  …  拡声処理部
３５０  …  表示制御部
３６０  …  画像処理部
３７０  …  操作部
３９０  …  システム制御部
４００  …  データベース
４１０  …  通信制御部
４３０  …  データ処理部
４３１  …  管理制御部
４３２  …  ユーザ管理部
４３３  …  評価者選定処理部
４３４  …  評価処理部
４３５  …  再生制御部
４３６  …  配信処理部
４３７  …  ランキング算出処理部
４６０  …  サーバ管理制御部
【図１】
0006283296.tif 000002
【図２】
0006283296.tif 000003
【図３】
0006283296.tif 000004
【図４】
0006283296.tif 000005
【図５】
0006283296.tif 000006
【図６】
0006283296.tif 000007
【図７】
0006283296.tif 000008
【図８】
0006283296.tif 000009
【図９】
0006283296.tif 000010